(57)【特許請求の範囲】
【請求項１】
一対の部材が相対移動する際に制動力を付与するダンパー装置であって、
弾性樹脂材料からなる環状弾性部材を有しており、
前記一対の部材のうち、一方の部材に前記環状弾性部材を支持する支持部が設けられ、
前記一対の部材のうち、他方の部材には、前記一対の部材の相対移動時に、前記支持部が挿入される一対の対向壁が設けられており、
前記環状弾性部材は、前記支持部の外周に装着されており、この装着状態で、前記環状弾性部材の内周の、前記一方の部材又は前記他方の部材の移動方向において互いに対向する部分が、前記支持部の外周に当接する当接部分をなし、前記環状弾性部材の内周の、前記移動方向に直交する方向において互いに対向する部分に、前記支持部の外周に対して離間する離間部分が設けられており、
前記支持部の外周に前記環状弾性部材が装着された状態で、互いに対向する離間部分の、最大距離Ａは、前記一対の対向壁の、前記支持部を受け入れる側の先端部どうしの開口幅Ｂよりも大きいことを特徴とするダンパー装置。
【請求項２】
前記環状弾性部材は、前記支持部に装着される前の状態で、円形状をなしている請求項１記載のダンパー装置。
【請求項３】
前記一対の対向壁の、前記先端部とは反対側の基端部側に、ストッパー壁が設けられており、
前記一対の部材が相対移動して、前記一対の対向壁の間に前記支持部が挿入され、前記環状弾性部材が前記ストッパー壁に当接したときに、前記環状弾性部材の前記離間部分における内周の、少なくとも一部が前記支持部の外周に当接する請求項１又は２記載のダンパー装置。
【請求項４】
前記一対の対向壁の、対向する内面どうしは、前記先端部側が幅広で、基端部側が幅狭となるように設けられている請求項１〜３のいずれか１つに記載のダンパー装置。
【請求項５】
前記支持部は、前記移動方向の両端に、前記環状弾性部材の側面に係止可能なフランジ部がそれぞれ設けられており、これらのフランジ部のうち、前記一対の対向壁への挿入方向側のフランジ部は、前記支持部に装着された前記環状弾性部材の、前記当接部分よりも突出しないように設けられている請求項３記載のダンパー装置。
【請求項６】
前記一方の部材は所定方向にスライド移動するスライドロッドであって、前記他方の部材は前記スライドロッドをスライド可能に保持する保持部材であり、
前記保持部材には、前記スライドロッドが挿通される挿通孔を有する壁部が設けられており、この壁部に前記一対の対向壁が一体形成されている請求項１〜５のいずれか１つに記載のダンパー装置。
【請求項７】
前記一対の部材は、前記一方の部材と前記他方の部材とが互いに回動可能とされたものである請求項１〜５のいずれか１つに記載のダンパー装置。
【請求項８】
前記環状弾性部材は、前記支持部に装着され且つ前記一対の部材の相対移動前において、前記一対の対向壁の先端部内面に、前記離間部分を維持しつつ当接した状態とされる請求項１〜７のいずれか１つに記載のダンパー装置。
【発明の詳細な説明】
【技術分野】
【０００１】
本発明は、一対の部材が相対移動する際に、制動力を付与するための、ダンパー装置に関する。
【背景技術】
【０００２】
例えば、下記特許文献１には、支持体に取り付けられた開閉体の開閉動をロックするものであって、開閉体の開閉操作する操作ハンドルと、開閉体に固定されるハウジングと、ハウジングの内部空間内に移動可能に保持されるロック部材と、該ロック部材を突出方向に付勢するスプリングとを備えた、ロック装置が記載されている。ハウジングには、内部空間に連通するガイド溝が形成されている。また、ロック部材の側面には、その軸方向に沿って延び、上下両端が円弧状をなした装着突起が突設されており、この装着突起に、Оリングが引張られた状態で装着されている。そして、Оリングを装着した装着突起が、ハウジングのガイド溝内に嵌入され、ロック部材の移動時に、ガイド溝内面にОリング外周が摺接することで、ロック部材に制動力が作用するようになっている。また、Оリングが装着した装着突起が、ハウジングのガイド溝内に嵌入された状態では、Оリングの内周全部が装着突起の外周全部に密着している（特許文献１の図８参照）。
【先行技術文献】
【特許文献】
【０００３】
【特許文献１】特開２０１０−３７７４８号公報
【発明の概要】
【発明が解決しようとする課題】
【０００４】
上記特許文献１のロック装置では、上述したように、ロック部材の装着突起外周に装着されたОリングの外周が、ハウジングのガイド溝内で摺接することで、制度力が得られるようになっているが、Оリングは、その内周全部が装着突起の外周全部に密着しており、制動力を高めるためには、Оリングの板厚のつぶれ代を増やすしかなく、制動力が不足することがあった。【０００５】
したがって、本発明の目的は、環状弾性部材を用いた簡単な構造で、十分な制動力を得ることができる、ダンパー装置を提供することにある。
【課題を解決するための手段】
【０００６】
上記目的を達成するため、本発明は、一対の部材が相対移動する際に制動力を付与するダンパー装置であって、弾性樹脂材料からなる環状弾性部材を有しており、前記一対の部材のうち、一方の部材に前記環状弾性部材を支持する支持部が設けられ、前記一対の部材のうち、他方の部材には、前記一対の部材の相対移動時に、前記支持部が挿入される一対の対向壁が設けられており、前記環状弾性部材は、前記支持部の外周に装着されており、この装着状態で、前記環状弾性部材の内周の、前記一方の部材又は前記他方の部材の移動方向において互いに対向する部分が、前記支持部の外周に当接する当接部分をなし、前記環状弾性部材の内周の、前記移動方向に直交する方向において互いに対向する部分に、前記支持部の外周に対して離間する離間部分が設けられており、前記支持部の外周に前記環状弾性部材が装着された状態で、互いに対向する離間部分の、最大距離Ａは、前記一対の対向壁の、前記支持部を受け入れる側の先端部どうしの開口幅Ｂよりも大きいことを特徴とする。
【発明の効果】
【０００７】
本発明によれば、支持部の外周に環状弾性部材が装着された状態で、互いに対向する離間部分の最大距離Ａは、一対の対向壁の、支持部を受け入れる側の先端部どうしの開口幅Ｂよりも大きいので、一方の部材又は他方の部材が移動して、一対の対向壁の間に支持部が挿入されていくと、環状弾性部材の離間部分が、一対の対向壁の先端部に押されて窄まるように撓み変形した後、一対の対向壁の内面に対して圧接するため、一対の部材を制動するための制動力を十分に得ることができる。
【図面の簡単な説明】
【０００８】
【図１】本発明に係るダンパー装置の、一実施形態を示しており、同ダンパー装置を開閉体に適用した場合の斜視図である。
【図２】同ダンパー装置の分解斜視図である。
【図３】同ダンパー装置において、スライドロッドの回転機構を示す分解斜視図である。
【図４】同ダンパー装置において、スライドロッドの回転機構を示す斜視図である。
【図５】同ダンパー装置の、要部拡大斜視図である。
【図６】同ダンパー装置を構成する、一対の対向壁を設けた保持部材を示しており、（ａ）はその斜視図、（ｂ）は（ａ）とは異なる方向から見た場合の斜視図である。
【図７】同ダンパー装置を構成する、一対の対向壁を設けた保持部材の正面図である。
【図８】同ダンパー装置を構成する、支持部を設けたスライドロッドの先端側を示しており、（ａ）は正面図、（ｂ）は右側面図、（ｃ）は（ａ）のＧ−Ｇ矢示線における断面図である。
【図９】同ダンパー装置の使用状態を示しており、（ａ）は一対の対向壁間に、支持部が挿入され始めた状態の説明図、（ｂ）は一対の対向壁間に、支持部が（ａ）よりも奥方に挿入された状態の説明図である。
【図１０】同ダンパー装置の使用状態を示しており、（ａ）は第１使用状態の説明図、（ｂ）は第２使用状態の説明図、（ｃ）は第３使用状態の説明図、（ｄ）は第４使用状態の説明図、（ｅ）は第５使用状態の説明図である。
【図１１】同ダンパー装置を適用したロック装置において、開閉体を閉じた状態を示す説明図である。
【図１２】同ダンパー装置を適用したロック装置において、開閉体を開いた状態を示す説明図である。
【図１３】本発明に係るダンパー装置の、他の実施形態を示しており、その分解斜視図である。
【図１４】同ダンパー装置において、図１３とは異なる方向から見た場合の、分解斜視図である。
【図１５】同ダンパー装置の使用状態を示しており、一対の対向壁間に支持部が挿入されていない状態の説明図である。
【図１６】同ダンパー装置の使用状態を示しており、一対の対向壁間に支持部が挿入された状態の説明図である。
【発明を実施するための形態】
【０００９】
以下、図面を参照して、本発明に係るダンパー装置の、一実施形態について説明する。
【００１０】
このダンパー装置は、一対の部材が相対移動する際に制動力を付与するものである。図１，図２，図１１，図１２に示すように、この実施形態におけるダンパー装置１０は、例えば、車両のインストルメントパネルに設けられたグローブボックス等の固定体１の開口部１ａに対して、開閉可能に取付けられる開閉体３と、この開閉体３の幅方向に沿う方向にスライド移動可能に配設されて、固定体１に設けたロック部２に係脱する一対のスライドロッド２０，２０（以下、単に「ロッド２０」ともいう）との間に設けられ、一対のロッド２０，２０がスライド移動する際に、同ロッド２０，２０に制動力を付与するものである。特にこの実施形態では、開閉体３の幅方向両側部において、各ロッド２０の先端側に設けたロックピン２１が、固定体１の開口部１ａの両側内面に設けたロック部２，２（図１１，１２参照）に係合する方向にスライド移動する際に、各ロッド２０に制動力を付与して、打音（衝撃音）の発生を抑制するものである。
【００１１】
なお、この実施形態におけるダンパー装置としては、開閉体の幅方向両側部において、一対のスライドロッドの先端ピンがスライド移動する、いわゆるサイドロック構造に用いられているが、例えば、開閉体の先端中央に設けられた、ハウジング及びハウジング開口から出没するラッチ等に用いてもよく（いわゆるセンターロック構造）、また、ハウジング及び該ハウジングに対して押し引き動作させて、スライドロッドをスライド移動させる、操作部材等に適用してもよく、一対の部材が相対的に移動可能な構造に広く用いることができる。
【００１２】
そして、この実施形態におけるダンパー装置１０は、図２や図５に示すように、弾性樹脂材料からなる環状弾性部材５０を有しており、この環状弾性部材５０を支持する支持部４０が、ロッド２０側に設けられており、一対の部材の相対移動時に、前記支持部４０が挿入される一対の対向壁６５，６５が、開閉体３に設けられている。すなわち、この実施形態では、ロッド２０が、本発明における一対の部材のうち、「一方の部材」をなしており、開閉体３が、本発明における一対の部材のうち、「他方の部材」をなしている。
【００１３】
図２に示すように、各ロッド２０は、両者同一形状であって、その軸方向途中がクランク状に屈曲した形状をなしている。また、各ロッド２０の先端側には、固定体１のロック部２に係脱する前記ロックピン２１が設けられており（図２参照）、基端側一側面には、ラック溝２３が形成されている（図３参照）。前記ロックピン２１は略円柱状をなし、その先端がテーパ状にカットされている。また、図３，図４，図１１，図１２に示すように、これらの一対のロッド２０，２０は、開閉体３に設けた取付座４（図２参照）にビス等で固定されたベース部材２５に、回転可能に装着された回転部材２８を介して、同期してスライドするようになっている。
【００１４】
更に図３や図４に示すように、回転部材２８は円筒部３０を有しており、その基端外周にピニオンギヤ３２が形成されており、これに各ロッド２０のラック溝２３が歯合することで、回転部材２８を介して一対のロッド２０，２０が互いに連結されている。また、回転部材２８は、トーションバネからなる付勢バネ３４（図３参照）によって図１１の矢印Ｆ方向に回転付勢されている。これによって、一対のロッド２０，２０が、固定体１の一対のロック部２，２に係合する方向に付勢され、同期してスライド移動する。すなわち、一方のロッド２０がスライドした場合には、それに連動して他方のロッド２０もスライドする。
【００１５】
また、一対のロッド２０，２０は、開閉体３の正面側に配置された操作部材８０（図１参照）を操作することで、付勢バネ３４の付勢力に抗して、一対のロッド２０，２０のロックピン２１，２１をロック部２，２から引き込んで、ロックピン２１とロック部２との係合を解除して、固定体１に対して開閉体３を開くことができるようになっている。
【００１６】
なお、この実施形態では、上述したように、一対のスライドロッド２０，２０の先端のロックピン２１，２１が、ロック部２，２に常時係合する方向に付勢されているが、操作部材８０を操作して、一対のロッド２０，２０のロックピン２１，２１を、一対のロック部２，２から離脱する方向にスライドさせたときに、付勢バネ３４の付勢力に抗して、各ロッド２０，２０のロックピン２１，２１を、ロック部２，２に係合しない状態に保持すると共に、固定体１の開口部１ａに対して開閉体３を閉じたときには、各ロッド２０，２０のロックピン２１，２１の保持を解除して、ロック部２，２に係合させる方向にスライドさせる、図示しない保持手段を有している。
【００１７】
また、図２に示すように、開閉体３の裏面側の幅方向中央に、回転部材２８を装着したベース部材２５を取付けるための、取付座４が設けられており、同開閉体３の裏面側の幅方向両側部には、略四角枠状をなし、ロッド２０のスライド移動をガイドする、ロッドガイド部５，５がそれぞれ設けられている。各ロッドガイド部５には、ロッド２０をスライド可能に保持する保持部材６０が組付けられるようになっている（図２参照）。なお、この実施形態では、ロッドガイド部５及び保持部材６０によって、一対のロッド２０，２０が開閉体３の幅方向に沿ってスライド移動するようにガイドされ、この方向が一方の部材又は他方の部材の移動方向Ｘ（この実施形態ではロッド２０の移動方向Ｘ）を意味している（図１１参照）。
【００１８】
図５〜７に示すように、この実施形態における保持部材６０は、ロッド先端のロックピン２１が挿通される円形状の挿通孔６１ａを有する壁部６１が設けられており、この壁部６１の一方の面側には、略四角枠状をなした取付部６３が設けられている。この取付部６３の両側部には、コ字状のスリット６４ａを介して撓み可能に係合爪６４がそれぞれ形成されており、図２に示すように、この取付部６３を前記ロッドガイド部５内に挿入することで、ロッドガイド部５の内周縁に係合爪６４，６４が係合して、保持部材６０がロッドガイド部５を介して開閉体３には組付けられるようになっている。
【００１９】
また、壁部６１の、取付部６３を設けた面とは、反対側の面から、一対の対向壁６５，６５が、壁部６１の面方向に対して直交する方向に延設されている。すなわち、各対向壁６５は壁部６１に対して一体形成されている。これらの一対の対向壁６５，６５は、一対の部材の相対移動時に、その間に支持部４０が挿入されて、同支持部４０に装着された環状弾性部材５０を押圧して撓み変形させるものである。
【００２０】
また、図６や図７に示すように、一対の対向壁６５，６５は、壁部６１から離れた延出方向の先端部６６，６６の間が開口しており、この先端部６６，６６の間から、ロッド２０側に設けた支持部４０を受け入れ可能となっている。これらの一対の対向壁６５，６５は、外面どうしが互いに平行に形成されている。一方、一対の対向壁６５，６５の対向する内面６８，６８は、先端部６６，６６側が幅広で、先端部６６とは反対側の基端部６７側に向けて、次第に幅狭となる傾斜面状をなしている。なお、各対向壁６５の先端部６６における内面は、Ｒ状をなしている。
【００２１】
また、一対の対向壁６５，６５の、先端部６６，６６とは反対側の基端部６７，６７側には、一対の対向壁６５，６５の延出方向に対して直交して配置された、ストッパー壁７０が設けられている。そのため、図７に示すように、一対の対向壁６５，６５を側方から見たときに、一対の対向壁６５，６５とストッパー壁７０とを併せて、先端側及び側方が開口した略コ字形の枠状をなしている。
【００２２】
図２や図５に示すように、環状弾性部材５０を支持する前記支持部４０は、ロッド２０の先端側であって、ロックピン２１に隣接し、かつ、前記開閉体３に対向する側面２２（図５参照）に設けられている。図８〜１０を併せて参照すると、この支持部４０は、ロッド２０の軸方向に沿って一定幅で細長く延びる突条をなしており、その軸方向に沿った長さＬ（図８（ｃ）参照）は、図５に示すように、支持部４０への装着前の状態で円形状をなす環状弾性部材５０の、最大内径よりも長く形成されている。また、図９（ａ）に示すように、支持部４０は、その長さ方向（ロッドの軸方向に沿った方向）の一端４１側から、前記一対の対向壁６５，６５の先端部６６，６６の間に挿入されるようになっており、この一端４１及びそれとは反対側の他端４２とが、一対の部材の移動方向Ｘにおける両端をなしている。また、図１０に示すように、支持部４０の両端４１，４２の角部には、Ｒ状の曲面が形成されており、環状弾性部材５０の内周に傷を付きにくくさせている。
【００２３】
上記支持部４０の外周に、ゴム材料や弾性エラストマー等の弾性樹脂材料からなる、環状弾性部材５０が装着されるようになっている。図２や図５に示すように、この環状弾性部材５０は、支持部４０に装着される前の状態で円形状をなしており、その最大内径は前記支持部４０の長さＬ（図８（ｃ）参照）よりも小さく形成されている。そのため、図９に示すように、環状弾性部材５０は、支持部４０の外周に、引き延ばされた状態で装着されるようになっている。
【００２４】
また、図１０（ａ）に示すように、支持部４０の外周に環状弾性部材５０が装着された状態で、環状弾性部材５０の内周の、ロッド２０の移動方向Ｘにおいて互いに対向する部分（この実施形態では、ロッド２０の移動方向Ｘにおける両端）が、支持部４０の外周に当接する当接部分５１，５１をなし、環状弾性部材５０の内周の、ロッド２０の移動方向Ｘに直交する方向において互いに対向する部分に、支持部４０の外周に対して離間する離間部分５３，５３が設けられている。この実施形態では、環状弾性部材５０の、支持部４０の両端４１，４２の外周に密着して当接した部分が、当接部分５１，５１をなしており、支持部４０の両端４１，４２に直交する両側面から離間した部分が、離間部分５３，５３をなしている。
【００２５】
また、この実施形態の環状弾性部材５０は、図９や図１０（ａ）に示すように、一対の当接部分５１，５１が互いに平行で、かつ、一対の当接部分５１，５１の間の、一対の離間部分５３，５３が、それぞれ支持部外側に向けて円弧状に屈曲するように撓み変形した状態で、支持部４０に装着されるようになっている。更に図１０（ａ）に示すように、環状弾性部材５０の離間部分５３，５３の内周は、支持部４０の軸方向中央において、支持部４０の両側面から最も離れている。
【００２６】
そして、図１０（ａ）に示すように、支持部４０の外周に環状弾性部材５０が装着された状態で、同環状弾性部材５０の、互いに対向する離間部分５３，５３の最大距離Ａ（環状弾性部材５０の外周の、ロッド２０の移動方向Ｘに直交する方向における最大距離であって、離間部分５３，５３の、支持部４０の両側面から最も離間した位置における、外周どうしの距離）は、開閉体３側に設けた前記一対の対向壁６５，６５の、支持部４０を受け入れる側の先端部６６，６６どうしの開口幅Ｂ（ここでは先端部６６，６６の、Ｒ状をなした内面の、ストッパー壁７０寄りの端部どうしの幅）よりも大きく構成されている。
【００２７】
また、この実施形態においては、図１０（ａ）に示すように、環状弾性部材５０は、支持部４０に装着され且つ一対の部材の相対移動前（ここでは、図示しない保持手段によって、ロッド２０のロックピン２１がロック部２に係合しない位置に引き込まれて保持された状態）において、一対の対向壁６５，６５の先端部６６，６６のＲ状をなした内面に、離間部分５３，５３を維持しつつ当接した状態とされている。なお、図９（ａ）には、支持部４０の一端４１側が、一対の対向壁６５，６５の間に挿入され始めた状態が示されている。
【００２８】
そして、図１０（ａ）に示す状態、すなわち、図示しない保持手段によって、各ロッド２０のロックピン２１がロック部２に係合しない位置に引き込まれて保持された状態から、固定体１の開口部１ａに対して開閉体３を閉じて、各ロッド２０，２０のロックピン２１，２１の保持が解除されると、各ロッド２０のロックピン２１がロック部２に係合する方向にスライド移動して、一対の対向壁６５，６５の先端部６６，６６の間から、矢印Ｘに示す方向に支持部４０が挿入されていく。
【００２９】
このとき、このダンパー装置１０においては、図１０（ａ）に示すように、支持部４０の外周に環状弾性部材５０が装着された状態で、同環状弾性部材５０の、互いに対向する離間部分５３，５３の最大距離Ａは、一対の対向壁６５，６５の、支持部４０を受け入れる側の先端部６６，６６どうしの開口幅Ｂよりも大きく構成されているので、図１０（ｂ）〜（ｅ）に示すように、一対の対向壁６５，６５の間に、支持部４０が挿入されていくと、環状弾性部材５０の離間部分５３，５３が、一対の対向壁６５，６５の先端部６６，６６に押されて窄まるように撓み変形した後、一対の対向壁６５，６５の内面６８，６８に対して圧接するようになっている。
【００３０】
また、図１０（ｅ）に示すように、環状弾性部材５０の、移動方向Ｘの先端側の当接部分５１の外周が、ストッパー壁７０の内面に当接したときには、環状弾性部材５０の離間部分５３，５３における内周の、少なくとも一部が支持部４０の外周に当接するようになっている。ここでは、離間部分５３，５３の内周の、移動方向Ｘの先端側（支持部４０の一端４１側）から所定範囲が、支持部４０の外周に当接するようになっている。
【００３１】
再び、支持部４０の説明に戻ると、図５や、図８、図９に示すように、この実施形態における支持部４０の、一対の部材の移動方向Ｘ（支持部４０の軸方向）の両端４１，４２には、環状弾性部材５０の側面（厚さ方向の側面）に係止可能なフランジ部４３，４４がそれぞれ設けられている。
【００３２】
具体的に説明すると、支持部４０の、ロッド２０の側面２２（図５参照）からの突出方向先端側であって、その一端４１の先端縁部から、ひさし状をなすように突出したフランジ部４３が設けられている（図８及び図９参照）。一方、支持部４０の突出方向先端側であって、他端４２側の周縁から、支持部外周に対して拡径した略Ｕ字状をなすように突出したフランジ部４４が設けられている（図８及び図９参照）。
【００３３】
また、図１０（ａ）に示すように、これらのフランジ部４３，４４のうち、一対の対向壁６５，６５への挿入方向側のフランジ部４３は、支持部４０に装着された環状弾性部材５０の、当接部分５１での径よりも短く、当接部分５１より突出しないように設けられている。なお、一対の対向壁６５への挿入方向とは反対側のフランジ部４４は、支持部４０に装着された環状弾性部材５０の、当接部分５１での径よりも長く形成されている（図１０（ａ）参照）。
【００３４】
なお、以上説明した、環状弾性部材や、支持部、一対の対向壁は、上記形状に限定されるものではない。すなわち、この実施形態における環状弾性部材５０は、支持部４０への装着前の状態で、円形状をなしているが、環状弾性部材としては、例えば、楕円形や、両端が円弧形をなした小判形、更に、四角枠状等であってもよい。また、支持部の形状や構造も、一定幅で延びる突条のみならず、断面楕円形や角形の、柱状や筒状等としてもよい。更に、一対の対向壁としては、例えば、Ｖ字形の枠状等（ストッパー壁を設けない構造）や、Ｕ字形の枠状（ストッパー壁が円弧状をなすような構造）等としてもよい。
【００３５】
すなわち、本発明における環状弾性部材及びこれを支持する支持部は、支持部外周に環状弾性部材を装着した状態で、環状弾性部材の内周の移動方向において互いに対向する部分が、支持部外周に当接する当接部分をなし、環状弾性部材の内周の、移動方向に直交する方向において互いに対向する部分に、支持部外周に対して離間する離間部分が設けられた構造をなしていればよい。また、環状弾性部材及び支持部に加えて、一対の対向壁の構造としては、支持部外周に環状弾性部材が装着された状態で、環状弾性部材の互いに対向する離間部分の最大距離Ａが、一対の対向壁の、支持部を受け入れる側の先端部どうしの開口幅Ｂよりも大きい構造であればよい。
【００３６】
次に、上記構成からなるダンパー装置１０の作用効果について説明する。
【００３７】
すなわち、固定体１の開口部１ａから開閉体３を開いた状態では、図１０（ａ）に示す状態、すなわち、図示しない保持手段によって、各ロッド２０のロックピン２１がロック部２に係合しない位置に引き込まれて保持されている。また、この状態、すなわち、環状弾性部材５０は、支持部４０に装着され且つ一対の部材の相対移動前の状態では、一対の対向壁６５，６５の先端部６６，６６における、Ｒ状をなした内面６８に、離間部分５３，５３を維持しつつ当接している。
【００３８】
上記状態から、固定体１の開口部１ａに対して開閉体３を閉じて、各ロッド２０，２０のロックピン２１，２１の保持が解除されると、各ロッド２０のロックピン２１がロック部２に係合する方向にスライド移動するため、一対の対向壁６５，６５の先端部６６，６６の間から、図１０（ａ）の矢印Ｘ１に示す方向に支持部４０が挿入されていく。
【００３９】
すると、環状弾性部材５０の、移動方向Ｘ１に直交する方向において互いに対向する離間部分５３，５３の外周が、一対の対向壁６５，６５の先端部６６，６６に押されて撓みつつ、環状弾性部材５０が一対の対向壁６５，６５の間に入り込んでいく。それと共に、離間部分５３，５３の外周が一対の対向壁６５，６５の内面６８，６８によって押圧されて、離間部分５３，５３が、移動方向Ｘ１の先端側（支持部４０の一端４１側）から窄まり、かつ、離間部分５３，５３の内周と支持部４０の外周との隙間が小さくなるように、離間部分５３，５３が略ハの字状をなすように撓み変形していき、それに伴って離間部分５３，５３の外周が、一対の対向壁６５，６５の内面６８，６８に対して圧接し、かつ、その圧接量が次第に増大していく（図１０（ｂ）参照）。なお、環状弾性部材５０の、移動方向Ｘ１とは反対側（支持部４０の他端４２側）の当接部分５１は、円弧状をなすように屈曲変形する。
【００４０】
図１０（ｂ）に示す状態から、支持部４０を介して環状弾性部材５０が一対の対向壁６５，６５の奥側（ストッパー壁７０側）に移動すると、図１０（ｃ）に示すように、離間部分５３，５３の内周の、移動方向Ｘ１の先端側が、支持部４０の外周に当接して、離間部分５３，５３と支持部４０の外周との隙間が小さくなると共に、環状弾性部材５０の外周と一対の対向壁６５，６５の内面６８，６８との圧接量が更に増大する。なお、環状弾性部材５０の、移動方向Ｘ１とは反対側の当接部分５１は、支持部４０の他端４２から離れる。
【００４１】
図１０（ｃ）に示す状態から更に環状弾性部材５０がストッパー壁７０側に移動すると、図１０（ｄ）に示すように、離間部分５３，５３の内周の、支持部４０への当接量が更に増して、離間部分５３，５３の内周と支持部４０の外周との隙間が小さくなると共に、離間部分５３，５３の外周と一対の対向壁６５，６５の内面６８，６８との圧接量が更に増大する。
【００４２】
図１０（ｄ）に示す状態から更に環状弾性部材５０がストッパー壁７０側に移動して、図１０（ｅ）に示すように、環状弾性部材５０の、移動方向Ｘ１の先端側の当接部分５１の外周が、ストッパー壁７０の内面に当接すると、それ以上の環状弾性部材５０の移動が規制されると共に、離間部分５３，５３の内周の、支持部４０への当接量が更に増して、離間部分５３，５３の内周と支持部４０の外周との隙間が小さくなると共に、離間部分５３，５３の外周と一対の対向壁６５，６５の内面６８，６８との圧接量が更に増大する。
【００４３】
以上のように、このダンパー装置１０においては、図１０（ａ）に示すように、支持部４０の外周に環状弾性部材５０が装着された状態で、同環状弾性部材５０の、互いに対向する離間部分５３，５３の最大距離Ａは、一対の対向壁６５，６５の、支持部４０を受け入れる側の先端部６６，６６どうしの開口幅Ｂよりも大きく構成されているので、各ロッド２０のロックピン２１がロック部２に係合する方向にスライド移動して、一対の対向壁６５，６５の先端部６６，６６の間に支持部４０が挿入されていくと、図１０（ａ）〜（ｅ）に示すように、環状弾性部材５０の離間部分５３，５３の外周が、一対の対向壁６５，６５の先端部６６，６６に押されて撓みつつ、環状弾性部材５０が一対の対向壁６５，６５の間に入り込んでいくと共に、環状弾性部材５０の離間部分５３，５３の外周が一対の対向壁６５，６５の内面６８，６８によって押圧されて、環状弾性部材５０の離間部分５３，５３が窄まるように撓み変形した後、同離間部分５３，５３が一対の対向壁６５，６５の内面６８，６８に対して圧接して、その圧接量が次第に増大するため、一対の部材を制動するための制動力、ここでは、ロッド先端側のロックピン２１が、ロック部２に係合する方向にスライド移動する際に、各ロッド２０に制動力を十分に得ることができ、その際の打音（衝撃音）が発生することを効果的に抑制することができる。このように、このダンパー装置１０においては、一方の部材であるロッド２０に設けた支持部４０に、環状弾性部材５０を装着すると共に、他方の部材である開閉体３側に一対の対向壁６５，６５を設けただけの簡単な構成とすることができ、十分な制動力を得つつ製造コストの低いダンパー装置１０を提供することができる。
【００４４】
また、この実施形態においては、図２や図５に示すように、環状弾性部材５０は、支持部４０に装着される前の状態で、円形状をなしているので、円形状をなした環状弾性部材５０を支持部４０に装着した際に、環状弾性部材５０が引き延ばされて、環状弾性部材５０の離間部分５３，５３に弾性力を付与させることができ（環状弾性部材が楕円形や小判形状等の場合、支支持部への装着時に引張られにくくなり、離間部分に弾性力が生じにくい）、一方の部材又は他方の部材が移動して（ここではロッド２０が、そのロックピン２１がロック部２に係合する方向に移動するとき）、一対の対向壁６５，６５の間に支持部４０が挿入されて、一対の対向壁６５，６５によって環状弾性部材５０が撓み変形する際に、環状弾性部材５０の離間部分５３，５３に付与された弾性力によって、環状弾性部材５０の、一対の対向壁６５，６５の内面６８，６８に対する密着性を高めて、制動力をより高めることができる。
【００４５】
更に、この実施形態においては、図１０に示すように、一対の対向壁６５，６５の、先端部６６，６６とは反対側の基端部６７，６７側に、一対の対向壁６５，６５の、先端部６６とは反対側の基端部６７側に、ストッパー壁７０が設けられているので、図１０（ｅ）に示すように、一対の部材の相対移動時（ここではロッド２０の移動時）に、ストッパー壁７０に環状弾性部材５０が当接することで、それ以上、環状弾性部材５０が一対の対向壁６５，６５の奥方に移動することを阻止することができる。また、一対の部材が相対移動して、一対の対向壁６５，６５の間に支持部４０が挿入され、環状弾性部材５０がストッパー壁７０に当接したときに、図１０（ｅ）に示すように、環状弾性部材５０の離間部分５３における内周の、少なくとも一部が支持部４０の外周に当接するので、一対の対向壁６５，６５の内面６８，６８に、環状弾性部材５０の離間部分５３，５３の外周が圧接することに加えて、支持部４０の外周に環状弾性部材５０の離間部分５３，５３の内周が当接することによって、一対の部材の相対移動時における制動力をより高めることができる。
【００４６】
また、この実施形態においては、図１０に示すように、一対の対向壁６５，６５の対向する内面６８，６８は、先端部６６，６６側が幅広で、先端部６６とは反対側の基端部６７側に向けて、次第に幅狭となるように設けられているので、一方の部材又は他方の部材が移動して（ここではロッド２０の移動時）、一対の対向壁６５，６５の間に支持部４０が挿入され、一対の対向壁６５，６５間を環状弾性部材５０が移動する際に、その移動量の増大に伴って、一対の対向壁６５，６５の内面６８，６８に対する、環状弾性部材５０の離間部分５３，５３の外周の圧接量を次第に増大させることができ、一対の部材の相対移動時における制動力を、徐々に高めることができる。
【００４７】
更にこの実施形態においては、図５や、図８、図９に示すように、支持部４０の、一対の部材の移動方向Ｘの両端４１，４２には、環状弾性部材５０の側面に係止可能なフランジ部４３，４４がそれぞれ設けられているので、環状弾性部材５０を支持部４０から抜け止めした状態で装着することができる。また、これらのフランジ部４３，４４のうち、一対の対向壁６５，６５への挿入方向側のフランジ部４３は、支持部４０に装着された環状弾性部材５０の、当接部分５１より突出しないように設けられているので、一対の部材の相対移動時（ここではロッド２０の移動時）に、一対の対向壁６５，６５への挿入方向側のフランジ部４３がストッパー壁７０に当接する前に、環状弾性部材５０の当接部分５１の外周がストッパー壁７０に当接するように構成でき、フランジ部４３がストッパー壁７０に当接することによる打音の発生を抑制することができる。
【００４８】
また、この実施形態においては、図６，図７，図９に示すように、ロッド２０をスライド可能に保持する保持部材６０に、ロッド２０が挿通される挿通孔６１ａ（ここではロッド先端のロックピン２１）を有する壁部６１が設けられており、この壁部６１に一対の対向壁６５，６５が一体形成されているので、ロッド２０を挿通させて支持する挿通孔６１ａを有する壁部６１と、一対の対向壁６５，６５とを、一つの部材に設けることができ、部品点数の削減を図ることができると共に、壁部６１の挿通孔６１ａにロッド２０を挿通させることで、一対の対向壁６５，６５に対してロッド２０（ここではロックピン２１）を精度良く配置することができる（壁部６１を精度よく製造することで、一対の対向壁６５，６５の配置箇所の精度も高めることができる）。
【００４９】
更に、この実施形態においては、図１０（ａ）に示すように、環状弾性部材５０は、支持部４０に装着され且つ一対の部材の相対移動前において、一対の対向壁６５，６５の先端部６６，６６の内面６８，６８に、離間部分５３，５３を維持しつつ当接した状態とされているので、一方の部材又は他方の部材が移動し（ここではロッド２０の移動時）、一対の対向壁６５，６５の間に支持部４０が挿入され、一対の対向壁６５，６５の間を環状弾性部材５０が移動する際に、すでに環状弾性部材５０が一対の対向壁６５，６５の先端部内面に当接しているため、環状弾性部材５０が移動することによる撓み変形に伴う制動力の変化が滑らかとなり、フィーリングを向上させることができ、制動力の初期応答力も高めることができる。
【００５０】
図１３〜１６には、本発明に係るダンパー装置の、他の実施形態が示されている。なお、前記実施形態と実質的に同一部分には同符号を付してその説明を省略する。
【００５１】
この実施形態におけるダンパー装置１０Ａは、一対の部材は、一方の部材と他方の部材とが互いに回動可能とされたものとなっている。具体的には、このダンパー装置１０Ａは、例えば、図１〜１２に示すような、スライドロッド２０を有するロック装置に取付けられて、同スライドロッドをスライド動作させる操作部材として用いられる。
【００５２】
図１３〜１６に示すように、このダンパー装置１０Ａは、横長箱状をなしたケース８１と、該ケース８１の長手方向一端部に回転可能に装着された操作レバー８３と、該操作レバー８３の表面側に装着されるカバー８５とを有している。
【００５３】
図１３や図１５に示すように、ケース８１の長手方向他端部側の壁部には、切欠き部８７が設けられており、該切欠き部８７内に、環状弾性部材５０を支持する支持部４０Ａが、ケース８１の底面に対して直交する向きで突設されている。
【００５４】
一方、操作レバー８３は、ケース８１に適合して一方向に長く延びる形状をなしており、長手方向一端部がケース８１の長手方向一端部側に回動可能に支持されており、図示しない開閉体の正面側に、ダンパー装置１０Ａが取付けられた場合に、同操作レバー８３は開閉体の面方向に対して近接離反するようになっている。また、図１４に示すように、操作レバー８３の長手方向他端部側であって、その裏面側（ケース８１との対向面側）から、互いに平行となるように延びる一対の対向壁６５Ａ，６５Ａが延設されている。なお、この一対の対向壁６５Ａ，６５Ａは、対向する内面６８，６８どうしも平行となっている（図１５参照）。また、操作レバー８３は、その長手方向の他端部が、ケース８１の長手方向他端部に離間するように、トーションバネ等の図示しない付勢手段によって回転付勢されている。
【００５５】
そして、このダンパー装置１０Ａにおいては、常時は、操作レバー８３が図示しない付勢手段で回動付勢されて、図１５に示すように、一対の対向壁６５Ａ，６５Ａの間から、支持部４０Ａが抜け出た状態となっている。この状態から図示しない付勢手段の付勢力に抗して、操作レバー８３を押し込んでいくと、一対の対向壁６５Ａ，６５Ａの先端部６６，６６の間に支持部４０Ａが挿入されて、環状弾性部材５０の離間部分５３，５３が、一対の対向壁６５Ａ，６５Ａの先端部６６，６６によって押圧されて窄まるように撓み変形した後、一対の対向壁６５，６５の内面６８，６８に対して圧接するので、操作レバー８３に制動力を付与することができる。また、図１６に示す状態から操作レバー８３の操作を解除すると、今度は、一対の対向壁６５Ａ，６５Ａの先端部６６，６６から、環状弾性部材５０が徐々に抜け出ていくが、この際にも、一対の対向壁６５，６５の内面６８，６８と、環状弾性部材５０の離間部分５３，５３の外周とが圧接しているので、操作レバー８３に制動力を付与することができる。したがって、操作レバー８３の回動動作時における、打音を抑制することができる。
【００５６】
なお、この実施形態においては、ケース８１が、本発明における一対の部材のうち、「一方の部材」をなしており、操作レバー８３が、本発明における一対の部材のうち、「他方の部材」をなしている。
【００５７】
そして、この実施形態におけるダンパー装置１０Ａは、一方の部材と他方の部材とが互いに回動可能とされたものであるので、例えば、上述したように、ロック装置における、ケースと操作レバーとからなる操作部材や、或いは、グローブボックスとリッド等の開閉構造に、適用することができる。
【００５８】
なお、上記実施形態におけるダンパー装置１０Аは、ケース８１とこれに回動可能に取付けられた操作レバー８３とからなる操作部材となっているが、操作部材としては、例えば、開閉体や固定体の面方向に沿って回転する回転ノブや回転ハンドル、或いは、面方向に対して押し込むプッシュ式のものとしてもよく、特に限定はされない。
【００５９】
なお、本発明は、上述した実施形態に限定されるものではなく、本発明の要旨の範囲内で、各種の変形実施形態が可能であり、そのような実施形態も本発明の範囲に含まれる。
【符号の説明】
【００６０】
１０，１０Ａ  ダンパー装置
２０  スライドロッド（ロッド）
２５  ベース部材
２８  回転部材
３４  付勢バネ
４０，４０Ａ  支持部
４１  一端
４２  他端
４３，４４  フランジ部
５０  環状弾性部材
５１，５１  当接部分
５３，５３  離間部分
６０  保持部材
６１  壁部
６１ａ  挿通孔
６５，６５Ａ  対向壁
６６  先端部
６７  基端部
６８  内面
７０  ストッパー壁
８０  操作部材
８１  ケース
８３  操作レバー
８５  カバー
【図１】
0006884921.tif 000002
【図２】
0006884921.tif 000003
【図３】
0006884921.tif 000004
【図４】
0006884921.tif 000005
【図５】
0006884921.tif 000006
【図６】
0006884921.tif 000007
【図７】
0006884921.tif 000008
【図８】
0006884921.tif 000009
【図９】
0006884921.tif 000010
【図１０】
0006884921.tif 000011
【図１１】
0006884921.tif 000012
【図１２】
0006884921.tif 000013
【図１３】
0006884921.tif 000014
【図１４】
0006884921.tif 000015
【図１５】
0006884921.tif 000016
【図１６】
0006884921.tif 000017